【事件の表示】
　平成　９年特許願第２２６１１１号「画像読取装置」拒絶査定不服審判事件〔平成１１年　３月　５日出願公開、特開平１１−　６４９８９〕について、次のとおり審決する。
【結　論】
　本件審判の請求は、成り立たない。
【理　由】
１．手続の経緯
　本願は、出願日が平成９年８月２２日である特願平９−２２６１１１号であって、平成１７年５月２５日付で拒絶査定がなされ、これに対し平成１７年６月３０日付で拒絶査定に対する審判請求がなされ、平成１７年８月１日付で手続補正がなされた。
　
２．平成１７年８月１日付の手続補正についての補正却下の決定
［補正却下の決定の結論］
　　平成１７年８月１日付の手続補正（以下、「本件補正」という。）を却下する。
補正後の本願発明
　本件補正により、特許請求の範囲の請求項１は、平成１７年３月１８日付手続補正書の特許請求の範囲の請求項１記載の、
「画像に対して予備読み取りを行い、予備読み取りの結果に基づいて前記画像の本読み取りを行う際の読取条件を決定し、該読取条件で前記画像の本読み取りを行う画像読取装置において、
　長尺状の写真フィルムに順に記録されたフィルム画像を読み取る読取手段と、
　前記写真フィルムに磁気記録された磁気記録データを読み取る磁気記録データ読取手段と、
　前記写真フィルムを搬送する搬送手段と、
　前記搬送手段により写真フィルムを所定方向に搬送させて前記読取手段により複数のフィルム画像の各々に対する予備読み取りを行わせ、かつ該予備読み取りと並行して前記磁気記録データ読取手段により前記写真フィルムに磁気記録された磁気記録データの読み取りを行わせる制御手段と、
　を有し、
　前記制御手段は、前記予備読み取りと前記磁気記録データの読み取りを、前記写真フィルムを前記所定方向に同一の搬送速度で搬送させて行わせることを特徴とする画像読取装置。」が
　
「画像に対して予備読み取りを行い、予備読み取りの結果に基づいて前記画像の本読み取りを行う際の読取条件を決定し、該読取条件で前記画像の本読み取りを行う画像読取装置において、
　長尺状の写真フィルムに順に記録されたフィルム画像を読み取る読取手段と、
　前記写真フィルムに磁気記録された磁気記録データを読み取る磁気記録データ読取手段と、
　前記写真フィルムを搬送する搬送手段と、
　前記搬送手段により写真フィルムを所定方向に搬送させて前記読取手段により複数のフィルム画像の各々に対する予備読み取りを行わせ、かつ該予備読み取りと並行して前記磁気記録データ読取手段により前記写真フィルムに磁気記録された磁気記録データの読み取りを行わせる制御手段と、
　を有し、
　前記制御手段は、前記予備読み取りと前記磁気記録データの読み取りを、前記写真フィルムを前記所定方向に１５０ｍｍ／ｓｅｃ以上の同一の搬送速度で搬送させて行わせることを特徴とする画像読取装置。」と補正されたものである。
　　
［理由Ｉ］新規事項
　本件補正は、「所定方向に同一の搬送速度」を「所定方向に１５０ｍｍ／ｓｅｃ以上の同一の搬送速度」と補正するものであるが、「１５０ｍｍ／ｓｅｃ以上」である点は、当初明細書に記載されておらず、本件補正は新規事項の追加に該当する。なお、当初明細書には、段落【００１０】には、「プレスキャンと上記磁気記録データの読み取りは、同一の搬送速度（例えば１５０〜２００ｍｍ／ｓｅｃ）で同時に行うことが可能であり」と記載され、上限が２００ｍｍ／ｓｅｃとされており、本件補正のようは、上限のない値は、記載されていない。
　したがって、本件補正は、特許法第１７条の２第３項の規定に適合せず、特許法第１５９条第１項において読み替えて準用する同法第５３条第１項の規定により、却下すべきものである。
　
［理由ＩＩ］独立特許要件
　本件補正が限定的減縮に当たるとしても、以下のとおり独立特許要件を満たさない。
（１）引用例
　原査定の拒絶の理由に引用された、本願の出願前に頒布された刊行物である特開平９−１５４０５９号公報（以下、「引用例１」という。）には、以下の点が記載されている。
ア．【００１３】
　先ず、図１及び図３を用いてスキャナの全体説明を行なう。これらの図において、本実施例のスキャナ５は、光源部１０と、フィルム４を搬送するフィルム搬送部１１と、フィルム４からの透過光を受け、アナログ電気信号を発生する検出部１２との３つのパートに大別される。
【００１４】
　光源部１０において、１５はハロゲンランプ等の光源、１６は光源１５で発生する熱を吸収する吸熱フィルタ、１８は光源１５から出射された光を拡散反射し、スリット１７より線状の光を出射する光拡散箱である。
【００１５】
　フィルム搬送部１１において、２１は矢印方向Aに移動可能に設けられた本スキャン用ステージ、２２は本スキャン用ステージ２１上に設けられ、フィルム４を矢印方向I方向に挟持搬送するフィルムキャリアである。
【００１６】
　検出部１２において、２５はフィルムキャリア２２に挟持されたフィルム４を透過した透過光を収束するレンズ、２６はレンズ２５によって収束されたフィルム４の透過光を受け、アナログ画像信号を発生するCCDラインセンサである。
　
イ．【００４２】
　次に、図８を用いて本実施例のフィルムスキャナの電気的接続を説明する。１９０は制御部、３０１はCCDラインセンサ２６で読み取った画像データを記憶する画像メモリ、３０２はCCDラインセンサよりのアナログ画像データをAD変換するAD変換器、３０３は本スキャナと外部機器との接続を行なうインターフェース回路である。また、３０４は前述した本スキャン用ステージ２１を駆動するステッピングモータである。
　
ウ．【００４６】
　プレスキャンスイッチが開始されると、ギヤプーリ８０が図５において矢印プレスキャン方向に回転するような方向に第１の駆動モータ７５が駆動し、第１のフィルム搬送部６７,第２のフィルム搬送部６８がフィルム搬送速度V1で空駆動される。
・・・
【００４９】
　尚、ここで、モータ１１２はフィルムがローラ６９に達したことを検出して駆動させてもよい。
　そして、カートリッジ６０から繰出されたフィルム４の先端が、第１のフィルム搬送部６７に至ると、第１のフィルム搬送部６７は搬送速度V1でフィルム４を挟持搬送し始める。　
【００５０】
　フィルムが第１のフィルム搬送部６７によって搬送され始めると、磁気ヘッド２０１により、フィルム４に記録されたフィルムの種類,感度等の情報や各コマに記録された画像の撮影環境情報等の各種情報が読み取られる(ステップ3)。
・・・
【００５２】
　更に、フィルム４の先端部が第２のフィルム搬送部６８に至ると、第２のフィルム搬送部６８もフィルム４を搬送速度V1でフィルム４を搬送し始め、フィルム４は一定速度V1で最終コマまで挟持搬送される。
【００５３】
　この時、光源１５より出射した光は、窓５０ａを介してフィルム４を透過し、窓５１ａを介してレンズ２５で収束され、CCDラインセンサ２６に至る。
　プレスキャンは、フィルム４の一コマあたり例えば、128×192画素程度の粗い画素数で全てのコマを読み取りメモリに画像データを蓄積し、コマ位置の確認、及びフィルム４に記録された画像のR.G.Bバランス及び濃度をチェックを行なう(ステップ4)。
【００５４】
　最終コマまでのRGBバランス及び濃度セットが終了すると、最終コマを窓５０ａにセットする。
・・・
【００５６】
　次に、図示しないステッピングモータが駆動され、本スキャン用ステージ２１が駆動され、本スキャンが行なわれる(ステップ5)。
　
　したがって、上記記載事項、及び各図面等から引用例１には、
「フィルム４の一コマあたり例えば、１２８×１９２画素程度の粗い画素数で全てのコマを読み取りメモリに画像データを蓄積し、コマ位置の確認、及びフィルム４に記録された画像のＲ．Ｇ．Ｂバランス及び濃度をチェックを行なうプレスキャンを行い、最終コマまでのＲＧＢバランス及び濃度セットが終了すると次に、本スキャンが行なわれるスキャナにおいて、
　フィルムキャリア２２に挟持されたフィルム４を透過した透過光を受け、アナログ画像信号を発生するＣＣＤラインセンサを有する検出部１２と、
　フィルム４に記録されたフィルムの種類,感度等の情報や各コマに記録された画像の撮影環境情報等の各種情報を読み取る磁気ヘッド２０１と、
　搬送速度Ｖ１でフィルム４を挟持搬送する第１のフィルム搬送部６７、第２のフィルム搬送部６８と、
　制御部１９０と
　を有するスキャナ。」（以下、「引用発明」という。）が記載されている。
　
　また、本願の出願前に頒布された刊行物である特開平８−８４２９１号公報（以下、「周知例１」という。）には、以下の点が記載されている。
エ．【００２３】（プリスキャンのためのフロー）
  ステップＳ２０１において、磁気情報とＲＧＢ画像情報とをフィルム送りと同時に読み取るモード（フラグ＝０）か、先に磁気情報を読み込みつぎにフィルムを巻戻す時にＲＧＢ画像情報を読み取るモード（フラグ＝１）かを判断する。フラグ＝０であればステップＳ２０２に進み、フラグ＝１であれば、ステップＳ２１０に進む。
【００２４】
　フラグ＝０の場合には、ステップＳ２０２でモータ１３及びモータ１９が時計回りに回転して、カートリッジ５１内のフィルムを一定速度で送り出す。この一定速度でフィルムを送っている最中に、磁気ヘッド２５ａ、２５ｂによって磁気情報を読み取ったり、書き込んだりする（Ｓ２０３）。また、１次元ＣＣＤ２１がＲＧＢ画像情報を読み取る（Ｓ２０５）。フィルム濃度、色補正のための画像を得れば足りるため、１ライン毎にフィルム送りを停止して、１ラインにつき厳密にＲＧＢ３つの画像信号を得る必要はない。
【００２５】
　そしてステップＳ２０４でフィルムに書き込まれた磁気情報を出力し、またステップＳ２０６でフィルム画像を１次元ＣＣＤから出力する。ステップ２０７ではこれらの情報および画像情報は、フレームメモリ３に記憶される。このとき読み取られる記憶情報はコマ番号、撮影日時、画像方向情報、撮影サイズ情報および色温度情報等がある。画像方向情報は画像が縦位置撮影によるものか横位置撮影によるものかを示す情報である。撮影サイズ情報は撮影画像が通常サイズ、パノラマサイズ、ハイビジョンサイズ、ハーフサイズあるいはのどのサイズであるか、また撮影画像のどの部分をトリミングするかを示す情報である。
【００２６】
　ステップＳ２０８では、最終駒までフィルム５２が送られたか否かを判断する。フィルムが最終駒まで送られていなければステップＳ２０２に戻り最終駒に到るまでモータ送り駆動が行われ、磁気情報と画像信号を取り込んでいく。フィルム５２が最終駒まで送られていればステップＳ２０９に進む。ステップＳ２０９では本ステャンに備えてモータによるフィルムの巻き戻しが行なわれ、ステップＳ２２０に進む。
　
オ．【００３０】
　ステップＳ２２０では、フレームメモリ３に記憶された画像信号等をコンピュータ４０のＲＡＭ４３に、不図示のＳＣＳＩインターフェイスを介して転送する。
　ステップＳ２２１では、コンピュータ４０内にスキャナ１００のフレームメモリ３から画像信号が入力されると、モニタ４１にサムネイル画像（モニター内に縮小して表示した複数の画像）を並べて表示する。表示に際しては、磁気記録層から読み取ったコマ番号等の記憶情報をサムネイル表示の下に表示する。
【００３１】
　また、コンピュータ４０は送られた記憶情報を記録装置４４に出力し記憶媒体に記録する。画像信号は粗く読み取った情報であり、情報量が少ないので高速に記録することができる。
　ステップＳ２２２では、粗く読み取った画像情報に基づいて、各駒ごとにシェーディング補正、色補正のためのＲＧＢの蓄積時間の設定、照明光量の設定等を行う。そして、操作者がモニタ４１のサムネイル画像および磁気記録情報を確認して、キーボード４２から本スキャンさせたい駒番号を指定したり、読み取り精度を指定したり、さらには読み取り範囲を指定する。この条件設定が終了した後に、本スキャンが開始される。
　
カ．【００３６】【発明の効果】
　１次元型の光電変換手段（ＣＣＤラインセンサ）を使った画像読取装置は、本スキャン時に精彩に画像情報を読み取るため、１ライン分のフィルムを搬送して、Ｒ（赤）Ｇ（緑）Ｂ（青）の各画像信号を得ている。
　かかる１次元型の光電変換手段を使った画像読取装置であっても、プリスキャン時には、一定速度でフィルムを搬送しながら磁気記録情報と画像情報を得ることができる。こうすることによって、プリスキャン時間を短縮することかできる。
　
　また、本願の出願前に頒布された刊行物である特開平７−２４８５５２号公報（以下、「周知例２」という。）には、以下の点が記載されている。
キ．【０００４】
　また、現像済フィルムがローディングされると、各駒のフィルム画像を高画質で再生するため、上記磁気情報及び各駒のフィルム画像の濃度情報が読み込まれ、該磁気情報及び濃度情報から各フィルム画像に対応して露出制御値（絞り値及びＣＣＤの露光期間）を設定されるようになっている。
　
ク．【００６２】
　上記各駒Ｆのフィルム画像の濃度情報は、再生用のフィルム画像の撮像時の適正な露出値（絞り値Ａv，電子シャッタースピードＴv）及びホワイトバランスの調整値（以下、ＷＢ調整値という）を演算するために読み込まれるものである。各駒Ｆのフィルム画像の濃度情報（以下、露出／色補正演算用データという）は、フィルム画像内の離散的な複数箇所の濃度を抽出したもので、本実施例では、マルチ画像用に撮像した撮像画像から抽出するようにしている。
　
ケ．【０１２３】
　フィルムカートリッジ９がフィルム装填部１３に装填されると、フィルム１０が自動的にローディングされ、引き続きフィルムエンド部１０Ｃまで給送される。　フィルム１０は、ローディング終了後に所定の速度（高速）にまで加速され、この加速期間中にオレンジベースデータが読み込みまれる。また、上記高速で画像撮像部１０Ｂが巻上方向にスキャン（第１スキャン）され、この第１スキャンにおいて、各駒の磁気情報、露出／色補正演算用データ及びマルチ画像用のフィルム画像Ｇ１〜Ｇ３６の読込みが行なわれる。
【０１２４】
　マルチ画像用のフィルム画像Ｇ１〜Ｇ３６の読込みが終了すると、高速でフィルムリーダ部１０Ａまで巻き戻されて再生条件及びフィルム画像の再生可能状態となる。なお、上記第１スキャンにおいて、ローディング後１駒目のフィルム画像Ｇ１が撮像されるまでローディング状態が表示され、この後、高速巻戻しが終了するまでマルチ画像順次表示が行われる。
【０１２５】
　操作者によりフィルム画像の再生条件が設定された後、再生が指示されると、設定された再生条件に従って各駒Ｆのフィルム画像がモニタＴＶ２の表示画面３に再生表示される。この再生時にはフィルム１０が先頭駒Ｆから巻上方向に所定の速度（低速度）で給送されて所定の駒Ｆのフィルム画像が順次、撮像され（第２スキャン）、所定の画像処理が行なわれた後、モニタＴＶ２の表示画面３に再生表示される。
　
コ．【０１７７】【発明の効果】
　以上説明したように、本発明によれば、再生用に各駒のフィルム画像を撮像する際の撮像条件を設定すべくフィルム面に各駒に関する磁気情報が記録された現像済フィルムの上記磁気情報及び各駒に撮影されたフィルム画像の濃度情報を読み込むとともに、上記フィルム画像を所定の配列パターンで配列してなるマルチ画像に合成して表示すべく各駒のフィルム画像を読み込むフィルム画像再生装置であって、現像済フィルムを一方向に一回だけ走行させて上記磁気情報、濃度情報及びマルチ画像用のフィルム画像を同時に読み込むようにしたので、上記磁気情報、濃度情報及びマルチ画像用のフィルム画像の読込処理が迅速に行われる。
　これにより現像済フィルムをローディングしてからマルチ画像表示又は各駒のフィルム画像の再生処理が開始されるまでの期間が短くなり、操作者に操作上の違和感を与えることがなくなる。また、現像済フィルムが必要以上にスキャンされないので、スキャンによる損傷が低減される。
　
（２）対比
　そこで、本願補正発明と引用発明とを比較する。
　引用発明の「プレスキャン」、「本スキャン」及び「スキャナ」は、本願補正発明の「予備読み取り」、「本読み取り」及び「画像読取装置」にそれぞれ相当するので、引用発明の「フィルム４の一コマあたり例えば、１２８×１９２画素程度の粗い画素数で全てのコマを読み取りメモリに画像データを蓄積し、コマ位置の確認、及びフィルム４に記録された画像のＲ．Ｇ．Ｂバランス及び濃度をチェックを行なうプレスキャンを行い、最終コマまでのＲＧＢバランス及び濃度セットが終了すると次に、本スキャンが行なわれるスキャナ」と、本願補正発明の「画像に対して予備読み取りを行い、予備読み取りの結果に基づいて前記画像の本読み取りを行う際の読取条件を決定し、該読取条件で前記画像の本読み取りを行う画像読取装置」とは、「画像に対して予備読み取りを行い、次に本読み取りを行う画像読取装置」の点で一致する。
　
　引用発明の「フィルム４」が長尺状の写真フィルムであることは明らかであり、画像が順に記録されていることも普通のことなので、引用発明の「フィルムキャリア２２に挟持されたフィルム４を透過した透過光を受け、アナログ画像信号を発生するＣＣＤラインセンサを有する検出部１２」は、本願補正発明の「長尺状の写真フィルムに順に記録されたフィルム画像を読み取る読取手段」に相当する。
　
　引用発明の「フィルム４に記録されたフィルムの種類,感度等の情報や各コマに記録された画像の撮影環境情報等の各種情報を読み取る磁気ヘッド２０１」は、本願補正発明の「写真フィルムに磁気記録された磁気記録データを読み取る磁気記録データ読取手段」に相当する。
　
　引用発明の「フィルム４を挟持搬送する第１のフィルム搬送部６７、第２のフィルム搬送部６８」は、本願補正発明の「写真フィルムを搬送する搬送手段」に相当する。
　
　引用発明の「制御部１９０」と、本願補正発明の「搬送手段により写真フィルムを所定方向に搬送させて前記読取手段により複数のフィルム画像の各々に対する予備読み取りを行わせ、かつ該予備読み取りと並行して前記磁気記録データ読取手段により前記写真フィルムに磁気記録された磁気記録データの読み取りを行わせる制御手段」とは、「制御手段」の点で一致する。
　
　したがって、本願補正発明と引用発明とは、
「画像に対して予備読み取りを行い、次に本読み取りを行う画像読取装置において、
　長尺状の写真フィルムに順に記録されたフィルム画像を読み取る読取手段と、
　前記写真フィルムに磁気記録された磁気記録データを読み取る磁気記録データ読取手段と、
　前記写真フィルムを搬送する搬送手段と、
　制御手段と、
　を有する画像読取装置。」である点で一致し、以下の各点で相違する。
　
相違点１；
　本願補正発明は、予備読み取りの結果に基づいて前記画像の本読み取りを行う際の読取条件を決定し、該読取条件で前記画像の本読み取りを行うのに対し、引用発明は、上記記載事項ウ．に「【００５４】最終コマまでのRGBバランス及び濃度セットが終了すると」との記載はあるものの、「予備読み取りの結果に基づいて前記画像の本読み取りを行う際の読取条件を決定し、該読取条件で前記画像の本読み取りを行う」という明示的記載がない点。
　
相違点２；
　制御手段が、本願補正発明は、搬送手段により写真フィルムを所定方向に搬送させて前記読取手段により複数のフィルム画像の各々に対する予備読み取りを行わせ、かつ該予備読み取りと並行して磁気記録データ読取手段により前記写真フィルムに磁気記録された磁気記録データの読み取りを行わせるものであるのに対し、引用発明は、そのような限定がない点。
　
相違点３；
　本願補正発明は、前記制御手段は、前記予備読み取りと前記磁気記録データの読み取りを、前記写真フィルムを前記所定方向に１５０ｍｍ／ｓｅｃ以上の同一の搬送速度で搬送させて行わせるのに対し、引用発明は、そのような限定がない点。
　
（３）当審の判断
以下、各相違点について検討する。
相違点１について
　予備読み取りの結果に基づいて前記画像の本読み取りを行う際の読取条件を決定し、該読取条件で前記画像の本読み取りを行うことは、従来周知の技術事項（例えば、周知例１の上記記載事項オ．、周知例２の上記記載事項キ．〜ケ．参照。）であり、引用発明において、上記相違点１に係る本願補正発明の構成を限定することは、当業者にとって容易である。
　
相違点２について
　引用例１の上記記載事項イ．及び【図８】から、引用発明の制御部１９０は、スキャナの制御部であり、搬送速度Ｖ１でフィルム４を挟持搬送する第１のフィルム搬送部６７、第２のフィルム搬送部６８を駆動する第１の駆動モータ７５、磁気ヘッド２０１、及び検出部１２のＣＣＤラインセンサ等と電気的に接続され、また、実際の作用についても、上記記載事項ウ．から搬送速度Ｖ１でフィルム４を挟持搬送される際に、磁気ヘッド２０１で磁気情報が読み取られ、同じ速度で搬送されながら、ＣＣＤラインセンサでプレスキャンが行われるのであるから、引用発明の制御手段についても、上記相違点２に係る本願補正発明の構成を限定することは、当業者にとって容易である。
　
相違点３について
　上記周知例２の記載事項ケ．には、高速でフィルム給送中に第１スキャン（本願補正発明の「予備読み取り」に相当する。）され、この第１スキャンにおいて、各駒の磁気情報、露出／色補正演算用データの読込みが行なわれる点が記載されている。また、予備読み取りの時間を短縮することは、従来周知（例えば、上記周知例１の記載事項カ．、周知例２の記載事項コ．参照。）の課題でもある。
　そして、予備読み取りの際の搬送速度をどの程度の速さで行うかは、読み取り精度、フィルムへの影響等を考慮して、当業者が適宜決定し得る設計事項である。
　結局、引用発明において、上記相違点３に係る本願補正発明の構成を限定することは、当業者にとって容易である。
　
　そして、本願補正発明の効果も、引用例１に記載された発明、及び従来周知の技術事項から予測される範囲のもので格別のものとは言えない。
　
　したがって、本願補正発明は、引用例１に記載された発明、及び従来周知の技術事項に基づいて、当業者が容易に発明をすることができたものであるから、特許法第２９条第２項の規定により特許出願の際独立して特許を受けることができないものである。
　
（４）むすび
　以上のとおり、本件補正は、特許法第１７条の２第５項で準用する同法第１２６条第５項の規定に違反するものであり、特許法第１５９条第１項で読み替えて準用する特許法第５３条第１項の規定により却下されるべきものである。
　
３．本願発明について
（１）本願発明
　平成１７年８月１日付の手続補正は上記のとおり却下されたので、本願の請求項１に係る発明（以下、「本願発明」という。）は、平成１７年３月１８日付手続補正書の請求項１に記載された事項により特定されるものである。（上記、「２．補正後の本願発明」参照。）
　　
（２）引用例
　原査定の拒絶の理由に引用された刊行物の記載事項は、前記「２．［理由ＩＩ］（１）」に記載したとおりである。
　
（３）対比・判断
　本願発明は、本願補正発明から、上記「２．［理由Ｉ］新規事項」で述べたとおり、搬送速度について、「１５０ｍｍ／ｓｅｃ以上の」の限定を省いたものである。
　　
　そうすると、本願発明の構成要件をすべて含み、さらに他の構成要件を付加したものに相当する本願補正発明が、前記「２．（３）」に記載したとおり、引用例１に記載された発明、及び従来周知の技術事項に基づいて、当業者が容易に発明をすることができたものであるから、本願発明も、同様の理由により、引用例１に記載された発明、及び従来周知の技術事項に基づいて、当業者が容易に発明をすることができたものである。
　
（４）むすび
　以上のとおり、本願発明は、引用例１に記載された発明、及び従来周知の技術事項に基づいて、当業者が容易に発明をすることができたものであるから、特許法第２９条第２項の規定により特許を受けることができない。
　よって、結論のとおり審決する。